【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
プロセッサベースのシステムであって、該システムは、
プロセッサ電子機器によって実行可能である命令を記憶するためのメモリと、
該命令を実行するように構成されているプロセッサ電子機器と
を備え、該命令は、
いくつかのブランドをユーザに提示することと、
該ブランドのうちの１つ以上についてのユーザの意見の指標を受信することと、
該ブランド意見を編集することであって、該編集することにより、該ユーザに対するいくつかの特性を決定し、該特性は、該ユーザと関連付けられたコンピューティングデバイスまで配信されるべき広告を選択するために使用され得る、ことと
を行うためのものである、システム。
【請求項２】
画面をさらに備え、前記命令は、前記プロセッサ電子機器に、いくつかのブランドを表すアイコンを該画面上に表示することと、該画面上の該アイコンのうちの１つ以上についての検出された移動に基づいて前記ブランド意見を編集することとをさせる、請求項１に記載のシステム。
【請求項３】
前記命令は、前記プロセッサ電子機器に、ユーザがブランドを表すアイコンを画面上のあるエリアに移動させたか否かを検出させ、画面の１つのエリアは、ブランドの第１の意見を表し、別のエリアは、ブランドの第２の意見を表す、請求項２に記載のシステム。
【請求項４】
画面をさらに備え、前記命令は、前記プロセッサ電子機器に、前記ユーザからの入力を受信することにより、該画面上のブランドを表すアイコンのサイズを変更させ、該ユーザによって選択された該アイコンのサイズは、ブランドについての該ユーザの意見を示す、請求項１に記載のシステム。
【請求項５】
前記命令は、前記プロセッサ電子機器に、ブランドについての前記受信されたユーザの意見に依存する方式で、該ブランドと関連付けられたいくつかのタグに対するタグ値を組み合わさせ、それにより、各組み合わされたタグ値は、ユーザに対する特性を表す、請求項１に記載のシステム。
【請求項６】
前記命令は、前記ユーザのコンピューティングデバイスに向けられる広告を表示するようにさらに構成されている、請求項１に記載のシステム。
【請求項７】
前記命令は、表示された広告についてのユーザの意見の指標を受信することをさらに含む、請求項６に記載のシステム。
【請求項８】
前記特性は、人口統計特性である、請求項１に記載のシステム。
【請求項９】
プロセッサベースの電子デバイスであって、該デバイスは、
プロセッサによって実行され得る一連の命令を記憶するためのメモリと、
該命令を実行するように構成されているプロセッサ電子機器と
を備え、該命令は、
ユーザの特性に基づいて、広告を該ユーザと関連付けられたコンピューティングデバイスに配信することであって、該特性は、ユーザのコンピューティングデバイスの画面上における異なるブランドを表すいくつかのアイコンの移動の検出から推定される、ことを行うためのものである、デバイス。
【請求項１０】
前記命令は、前記プロセッサ電子機器に、広告効果に関するフィードバックを受信させる、請求項９に記載のプロセッサベースの電子デバイス。
【請求項１１】
実行可能な命令が記憶されている非一過性コンピュータ可読媒体であって、該命令は、プロセッサ電子機器に、
コンテンツを画面上に表示することと、
メタデータの異なるカテゴリを該コンテンツに割り当てる、該画面上の異なるエリアを示すことと、
該画面の第１のエリアの中における該コンテンツの検出された配置に基づいて、メタデータの第１の断片をコンテンツの第１の断片に割り当てることと
を行わせるためのものである、非一過性コンピュータ可読媒体。
【請求項１２】
前記命令は、前記プロセッサ電子機器に、
前記画面の第１のエリアと異なる該画面の第２のエリアの中における前記コンテンツの検出された配置に基づいて、メタデータの第１の断片と異なるメタデータの第２の断片をコンテンツの第２の断片に割り当てさせる、請求項１１に記載の非一過性コンピュータ可読媒体。
【請求項１３】
前記コンテンツは、ブランドを表す、請求項１２に記載の非一過性コンピュータ可読媒体。
【請求項１４】
プロセッサ電子機器によって実行可能である命令が記憶された非一過性コンピュータ可読媒体であって、該命令は、
いくつかのブランドを表すコンテンツを画面上に表示することと、
ユーザによる該画面上の該コンテンツの配列を検出することと、
該コンテンツの該検出された配列を遠隔コンピュータシステムまで転送することであって、それにより、該画面上の該コンテンツの該検出された配列に基づいて、該ユーザの１つ以上の特性を推定する、ことと
を行うためのものである、非一過性コンピュータ可読媒体。
【請求項１５】
コンテンツをユーザに表示するためのシステムであって、該システムは、
コンテンツを遠隔画面に配信するように構成されているコンテンツサーバを備え、
該コンテンツサーバは、プロセッサ電子機器を含み、該プロセッサ電子機器は、
該遠隔画面に近接する１つ以上のペルソナを検出することであって、各ペルソナは、ユーザのいくつかの特性を規定する、ことと、
該検出されたペルソナに基づいて、コンテンツを該画面に配信することと
を行うように構成されている、システム。
【請求項１６】
前記プロセッサ電子機器は、前記遠隔画面に広告を供給するように構成され、該広告は、該画面に近接する前記検出されたペルソナに基づいて選択される、請求項１５に記載のシステム。
【請求項１７】
プロセッサ電子機器によって実行可能である命令が記憶された非一過性コンピュータ可読媒体であって、該命令は、
ブラウザプログラムを用いて、ユーザによって閲覧された少なくとも１つのブランドの指標を受信することと、
該受信された少なくとも１つのブランドの指標に基づいて、該ユーザの可能性の高い特性を決定することと、
標的閲覧者の所望の特性を幾人かのユーザの該決定された特性に一致させることと、
広告を該ユーザに配信することであって、該ユーザの特性が該標的閲覧者の所望の特性に一致する、ことと
を行うためのものである、非一過性コンピュータ可読媒体。
【手続補正２】
【補正対象書類名】明細書
【補正対象項目名】０００７
【補正方法】変更
【補正の内容】
【０００７】
ペルソナは、ユーザによって作成されるか、そのペルソナを規定した他のユーザから複製されるか、またはいくつかの所定のペルソナのうちの１つから採用されることができる。一実施形態では、ペルソナに帰属する人口統計特性は、いくつかのブランドの好き嫌い等のユーザが示した意見に対する応答に基づいて決定される。本明細書で使用されるように、特性は、母集団の人口統計特性（性別、年齢、場所、婚姻状態等）ならびにユーザの個々の関心等の単独の個々のユーザに関連する特性、性格、または特質を含んでもよい。
本願明細書は、例えば、以下の項目も提供する。
（項目１）
プロセッサベースのシステムであって、該システムは、
プロセッサ電子機器によって実行可能である命令を記憶するためのメモリと、
該命令を実行するように構成されているプロセッサ電子機器と
を備え、該命令は、
いくつかのブランドをユーザに提示することと、
該ブランドのうちの１つ以上についてのユーザの意見の指標を受信することと、
該ブランド意見を編集することであって、該編集することにより、該ユーザに対するいくつかの特性を決定し、該特性は、該ユーザと関連付けられたコンピューティングデバイスまで配信されるべき広告を選択するために使用され得る、ことと
を行うためのものである、システム。
（項目２）
画面をさらに備え、前記命令は、前記プロセッサ電子機器に、いくつかのブランドを表すアイコンを該画面上に表示することと、該画面上の該アイコンのうちの１つ以上についての検出された移動に基づいて前記ブランド意見を編集することとをさせる、項目１に記載のシステム。
（項目３）
前記命令は、前記プロセッサ電子機器に、ユーザがあるブランドを表すアイコンを画面上のあるエリアに移動させたか否かを検出させ、画面の１つのエリアは、ブランドの第１の意見を表し、別のエリアは、ブランドの第２の意見を表す、項目２に記載のシステム。
（項目４）
前記命令は、前記プロセッサ電子機器に、アイコンによって表されるブランドについてのユーザの相対的意見の指標を受信させ、該アイコンは、前記画面の同一のエリアの中における該アイコンの相対的ユーザ配置を決定することによって、該同一のエリアの中に配置される、項目３に記載のシステム。
（項目５）
画面をさらに備え、前記命令は、前記プロセッサ電子機器に、前記ユーザからの入力を受信することにより、該画面上の１つのブランドを表すアイコンのサイズを変更させ、該ユーザによって選択された該アイコンのサイズは、ブランドについての該ユーザの意見を示す、項目１に記載のシステム。
（項目６）
前記命令は、前記プロセッサ電子機器に、ブランドについての前記受信されたユーザの意見に依存する方式で、該ブランドと関連付けられたいくつかのタグに対するタグ値を組み合わさせ、それにより、各組み合わされたタグ値は、ユーザに対する特性を表す、項目１に記載のシステム。
（項目７）
前記命令は、前記ユーザのコンピューティングデバイスに向けられる広告を表示するようにさらに構成されている、項目１に記載のシステム。
（項目８）
前記命令は、表示された広告についてのユーザの意見の指標を受信することをさらに含む、項目７に記載のシステム。
（項目９）
前記命令は、アドレスから広告を読み出すために、前記プロセッサ電子機器によって実行可能である、項目１に記載のシステム。
（項目１０）
前記命令は、前記メモリの中に記憶されたいくつかの広告から広告を表示するために、前記プロセッサ電子機器によって実行可能である、項目７に記載のシステム。
（項目１１）
前記特性は、人口統計特性である、項目１に記載のシステム。
（項目１２）
プロセッサ電子機器によって実行可能である命令が記憶された非一過性コンピュータ可読媒体であって、該命令は、
いくつかのブランドをユーザに提示することと、
該ブランドのうちの１つ以上についてのユーザの意見の指標を受信することと、
該ブランド意見を編集することであって、該編集することにより、該ユーザに対する１つ以上の特性を決定し、該特性は、該ユーザと関連付けられたコンピューティングデバイスに配信されるべき広告を選択するために使用され得る、ことと
を行うためのものである、非一過性コンピュータ可読媒体。
（項目１３）
前記命令は、前記プロセッサ電子機器に、いくつかのブランドを表すアイコンを画面上に表示することと、該画面上の該アイコンのうちの１つ以上についての検出された移動に基づいて、前記ブランド意見を編集することとを行わせる、項目１２に記載の非一過性コンピュータ可読媒体。
（項目１４）
前記命令は、前記プロセッサ電子機器に、ユーザがあるブランドを表すあるアイコンを画面上のあるエリアまで移動させたか否かを検出させ、画面の１つのエリアは、ブランドについての第１の意見を表し、別のエリアは、ブランドについての第２の意見を表す、項目１２に記載の非一過性コンピュータ可読媒体。
（項目１５）
前記命令は、前記プロセッサ電子機器に、画面の同一のエリアの中のブランドを表すアイコンの相対的配置を決定することによる、ブランドについてのユーザの相対的意見の指標を受信させる、項目１２に記載の非一過性コンピュータ可読媒体。
（項目１６）
前記命令は、前記プロセッサ電子機器に、前記ユーザからの入力を受信することにより、画面上の前記ブランドを表すアイコンのサイズを変更させ、該ユーザによって選択された該アイコンのサイズは、ブランドについての該ユーザの意見を示す、項目１２に記載の非一過性コンピュータ可読媒体。
（項目１７）
前記命令は、前記プロセッサ電子機器に、ブランドについての前記受信されたユーザの意見に依存する方式で、該ブランドと関連付けられたいくつかのタグに対するタグ値を組み合わさせ、それにより、各組み合わされたタグ値は、該ユーザの特性を表す、項目１２に記載の非一過性コンピュータ可読媒体。
（項目１８）
広告を受信するためのプロセッサベースのシステムであって、該システムは、
プロセッサ電子機器によって実行可能である命令を記憶するためのメモリと、
該命令を実行するように構成されているプロセッサ電子機器と
を備え、該命令は、
広告が向けられ得るアイコンのユーザからの選択を受信することであって、該アイコンは、広告主によって選択され得る１つ以上の特性を規定して、広告に対する標的閲覧者を決定する、ことと、
該選択されたアイコンに向けられる広告を表示することと
を行うためのものである、システム。
（項目１９）
前記命令は、広告が向けられ得る２つ以上のアイコンの前記ユーザからの選択を受信するように、前記プロセッサ電子機器によって実行可能である、項目１８に記載のプロセッサベースのシステム。
（項目２０）
前記命令は、前記プロセッサ電子機器に、ブランドについての前記受信されたユーザの意見に依存する方式で、該ブランドと関連付けられたいくつかのタグに対するタグ値を組み合わさせ、それにより、各組み合わされたタグ値は、該ユーザの特性を表す、項目１８に記載のプロセッサベースのシステム。
（項目２１）
前記命令は、前記プロセッサ電子機器に、前記組み合わされたタグ値を遠隔コンピュータシステムに転送させる、項目２０に記載のプロセッサベースのシステム。
（項目２２）
前記命令は、前記プロセッサ電子機器に、前記ブランドのうちの１つ以上に関する前記ユーザの意見を遠隔コンピュータシステムに転送させる、項目２０に記載のプロセッサベースのシステム。
（項目２３）
前記システムの地理的場所を検出するためのセンサをさらに備え、前記命令は、前記プロセッサ電子機器に、
前記ユーザの現在の地理的場所を決定することと、
該ユーザの該決定された地理的場所に基づいて、広告を表示することと
を行わせるためのものである、項目１８に記載のプロセッサベースのシステム。
（項目２４）
前記システムの地理的場所を検出するためのセンサをさらに備え、前記命令は、前記プロセッサ電子機器に、
前記ユーザの現在の地理的場所を決定することと、
該ユーザのアドレスに向けられ、該ユーザの所望の距離の範囲内においてオファーされる広告を表示することと
を行わせるためのものである、項目１８に記載のプロセッサベースのシステム。
（項目２５）
時間を決定するためのクロックをさらに備え、前記命令は、前記プロセッサ電子機器に、
該クロックから時間を決定することと、
該決定された時間に基づいて、広告を表示することと
を行わせるためのものである、項目１８に記載のプロセッサベースのシステム。
（項目２６）
時間を決定するためのクロックをさらに備え、前記命令は、前記プロセッサ電子機器に、
該クロックから時間を決定することと、
該決定された時間に基づいて、広告が向けられるべき前記ユーザの１つ以上の特性を規定する前記アイコンを変更することと
を行わせるためのものである、項目１８に記載のプロセッサベースのシステム。
（項目２７）
前記システムの場所を決定するためのセンサをさらに備え、前記命令は、前記プロセッサ電子機器に、
該システムの場所を決定することと、
該決定された場所に基づいて、広告が向けられるべき前記ユーザの１つ以上の特性を規定する前記アイコンを変更することと
を行わせるためのものである、項目１８に記載のプロセッサベースのシステム。
（項目２８）
プロセッサ電子機器によって実行可能である命令が記憶された非一過性コンピュータ可読媒体であって、該命令は、
広告が向けられ得るアイコンのユーザからの選択を受信することであって、該アイコンは、広告主によって選択され得る１つ以上の特性を規定することにより、広告に対する標的閲覧者を決定する、ことと、
該選択されたアイコンに向けられる広告を表示することと
を行うためのものである、非一過性コンピュータ可読媒体。
（項目２９）
プロセッサベースの電子システムであって、該システムは、
プロセッサによって実行され得る一連の命令を記憶するためのメモリと、
該命令を実行するように構成されているプロセッサ電子機器と
を備え、該命令は、
いくつかのブランドに関するユーザからの意見を受信することと、
該受信された意見に基づいて、該ユーザの可能性の高い特性を決定することと、
標的閲覧者についての所望の特性を幾人かのユーザの該決定された特性に一致させることと、
広告をユーザに配信することであって、該ユーザの特性が該標的閲覧者についての所望の特性に一致する、ことと
を行うためのものである、システム。
（項目３０）
前記命令は、前記プロセッサ電子機器に、前記ユーザに送信される広告に対して、広告主に料金を請求させる、項目２９に記載のプロセッサベースのシステム。
（項目３１）
前記命令は、前記プロセッサ電子機器に、広告効果データを受信させる、項目２９に記載のプロセッサベースのシステム。
（項目３２）
前記命令は、前記プロセッサ電子機器に、配信された広告に関するユーザからの意見を受信させることと、該広告の該ユーザの意見に基づいて、該ユーザの決定された特性を修正させることとを行わせる、項目２９に記載のプロセッサベースのシステム。
（項目３３）
プロセッサベースの電子システムであって、該システムは、
プロセッサによって実行され得る一連の命令を記憶するためのメモリと、
該命令を実行するように構成されているプロセッサ電子機器と
を備え、該命令は、
ブランドの指標をユーザから受信することと、
該ブランドの受信された指標に基づいて、該ユーザの可能性の高い特性を決定することと、
標的閲覧者についての所望の特性を該決定された幾人かのユーザの特性に一致させることと、
広告をユーザに配信することであって、該ユーザの特性は、該標的閲覧者についての該所望の特性に一致する、ことと
を行うためのものである、システム。
（項目３４）
プロセッサベースの電子デバイスであって、該デバイスは、
プロセッサによって実行され得る一連の命令を記憶するためのメモリと、
該命令を実行するように構成されているプロセッサ電子機器と
を備え、該命令は、
ユーザの特性に基づいて、広告を該ユーザと関連付けられたコンピューティングデバイスに配信することであって、該特性は、ユーザのコンピューティングデバイスの画面上における異なるブランドを表すいくつかのアイコンの移動の検出から推定される、ことを行うためのものである、デバイス。
（項目３５）
前記命令は、前記プロセッサ電子機器に、広告効果に関するフィードバックを受信させる、項目３４に記載のプロセッサベースの電子デバイス。
（項目３６）
前記命令は、前記プロセッサ電子機器に、前記ユーザに配信された広告に関するフィードバックを受信させる、項目３４に記載のプロセッサベースの電子デバイス。
（項目３７）
プロセッサ電子機器によって実行可能である命令を伴う非一過性コンピュータ可読媒体であって、該命令は、プロセッサ電子機器に、
ブランドを表す複数のアイコンを画面上に表示することと、
アイコンが該画面上でどのように移動させられるかを検出することと、
該アイコンが、ユーザによって、該画面の第１のエリアまで移動させられた場合、メタデータの第１の断片を該アイコンに割り当てることと、
該アイコンが、該画面の第１のエリアと異なる該画面の第２のエリアまで移動させられた場合、該メタデータの第１の断片と異なるメタデータの第２の断片を該アイコンに割り当てることと
を行わせるためのものである、非一過性コンピュータ可読媒体。
（項目３８）
実行可能な命令が記憶されている非一過性コンピュータ可読媒体であって、該命令は、プロセッサ電子機器に、
コンテンツを画面上に表示することと、
メタデータの異なるカテゴリを該コンテンツに割り当てる、該画面上の異なるエリアを示すことと、
該画面の第１のエリアの中における該コンテンツの検出された配置に基づいて、メタデータの第１の断片をコンテンツの第１の断片に割り当てることと
を行わせるためのものである、非一過性コンピュータ可読媒体。
（項目３９）
前記命令は、前記プロセッサ電子機器に、
前記画面の第１のエリアと異なる該画面の第２のエリアの中における前記コンテンツの検出された配置に基づいて、メタデータの第１の断片と異なるメタデータの第２の断片をコンテンツの第２の断片に割り当てさせる、項目３８に記載の非一過性コンピュータ可読媒体。
（項目４０）
前記コンテンツは、ブランドを表す、項目３９に記載の非一過性コンピュータ可読媒体。
（項目４１）
命令をさらに備え、該命令は、プロセッサに、前記コンテンツが配置される画面のエリアに基づいて、該画面上に表示された該コンテンツをサイズ変更させる、項目３９に記載の非一過性コンピュータ可読媒体。
（項目４２）
命令をさらに備え、該命令は、前記コンテンツが新しいエリアの中に配置される場合、異なるメタデータを該コンテンツに割り当てるであろう、前記画面上の新しいエリアをユーザが作成することを可能にする、項目４１に記載の非一過性コンピュータ可読媒体。
（項目４３）
プロセッサ電子機器によって実行可能である命令が記憶された非一過性コンピュータ可読媒体であって、該命令は、
いくつかのブランドを表すコンテンツを画面上に表示することと、
ユーザによる該画面上の該コンテンツの配列を検出することと、
該コンテンツの該検出された配列を遠隔コンピュータシステムまで転送することであって、それにより、該画面上の該コンテンツの該検出された配列に基づいて、該ユーザの１つ以上の特性を推定する、ことと
を行うためのものである、非一過性コンピュータ可読媒体。
（項目４４）
命令をさらに備え、該命令は、前記プロセッサ電子機器に、
いくつかの特性を規定するペルソナを遠隔コンピュータから受信することであって、該特性は、前記画面上の前記コンテンツの検出された配列に基づいている、ことを行わせる、項目４３に記載の非一過性コンピュータ可読媒体。
（項目４５）
命令をさらに備え、該命令は、前記プロセッサ電子機器に、前記受信されたペルソナに向けられる広告を表示させる、項目４４に記載の非一過性コンピュータ可読媒体。
（項目４６）
命令をさらに備え、該命令は、前記プロセッサ電子機器に、
２つ以上のペルソナをユーザに表示することであって、各ペルソナは、広告主によって選択され得る異なる組み合わせの特性を表すことにより、広告に対する標的閲覧者を選択する、ことと、
広告を受信するための、該ユーザによるペルソナの選択を検出することと
を行わせるためのものである、項目４５に記載の非一過性コンピュータ可読媒体。
（項目４７）
命令をさらに備え、該命令は、前記プロセッサ電子機器に、
ペルソナに配信される広告についてのユーザの意見の指標を受信することと、
該受信された広告についての意見に基づいて、該ペルソナの１つ以上の特性を調節することと
を行わせるためのものである、項目４５に記載の非一過性コンピュータ可読媒体。
（項目４８）
プロセッサ電子機器によって実行可能である命令が記憶された非一過性コンピュータ可読媒体であって、該命令は、
いくつかのブランドを表すコンテンツを画面上に表示することと、
ユーザによる該画面上の該コンテンツの配列を検出することと、
該画面上の該コンテンツの該検出された配列に基づいて、広告が向けられるべきペルソナに対する１つ以上の特性を決定することと
を行うためのものである、非一過性コンピュータ可読媒体。
（項目４９）
命令をさらに備え、該命令は、前記プロセッサ電子機器に、前記ペルソナに向けられる広告を表示させる、項目４８に記載の非一過性コンピュータ可読媒体。
（項目５０）
命令をさらに備え、該命令は、前記プロセッサ電子機器に、広告が向けられるべき２つ以上のペルソナを表示させる、項目４９に記載の非一過性コンピュータ可読媒体。
（項目５１）
命令をさらに備え、該命令は、前記プロセッサ電子機器に、該プロセッサ電子機器の検出された場所に基づいて、広告を受信するためのペルソナを選択させる、項目５０に記載の非一過性コンピュータ可読媒体。
（項目５２）
命令をさらに備え、該命令は、前記プロセッサ電子機器に、検出されたイベントに基づいて、広告を受信するためのペルソナを選択させる、項目５０に記載の非一過性コンピュータ可読媒体。
（項目５３）
命令をさらに備え、該命令は、前記プロセッサ電子機器に、時刻に基づいて、広告を受信するためのペルソナを選択させる、項目５０に記載の非一過性コンピュータ可読媒体。
（項目５４）
命令をさらに備え、該命令は、前記プロセッサ電子機器に、
ペルソナに配信される広告についてのユーザの意見の指標を受信することと、
該受信された広告についての意見に基づいて、該ペルソナの１つ以上の特性を調節することと
を行わせるためのものである、項目４９に記載の非一過性コンピュータ可読媒体。
（項目５５）
コンテンツをユーザに表示するためのシステムであって、該システムは、
コンテンツを遠隔画面に配信するように構成されているコンテンツサーバを備え、
該コンテンツサーバは、プロセッサ電子機器を含み、該プロセッサ電子機器は、
該遠隔画面に近接する１つ以上のペルソナを検出することであって、各ペルソナは、ユーザのいくつかの特性を規定する、ことと、
該検出されたペルソナに基づいて、コンテンツを該画面に配信することと
を行うように構成されている、システム。
（項目５６）
前記プロセッサ電子機器は、前記遠隔画面に広告を供給するように構成され、該広告は、該画面に近接する前記検出されたペルソナに基づいて選択される、項目５５に記載のシステム。
（項目５７）
プロセッサベースの電子デバイスであって、該デバイスは、
プロセッサ電子機器によって実行され得る一連の命令を記憶するためのメモリと、
該命令を実行するように構成されているプロセッサ電子機器と
を備え、該命令は、
ユーザと関連付けられたアドレスを有するユーザアカウントを作成することと、
該ユーザに対して一組の可能性が高い特性を規定する、いくつかのブランドについてのユーザの意見に関する情報を受信すること、
ペルソナを一組の可能性が高い特性と関連付けることと、
ペルソナを広告主に提供することであって、該広告主は、該ペルソナの特性を検索することにより、該ペルソナのうちの１つ以上に向けられるべき広告に対する標的閲覧者を決定し得る、ことと
を行うためのものである、デバイス。
（項目５８）
前記プロセッサ電子機器は、異なるアドレスを各ペルソナと関連付けるように構成されている、項目５７に記載のシステム。
（項目６０）
前記プロセッサ電子機器は、デバイスＩＤを各ペルソナと関連付けるように構成されている、項目５７に記載のシステム。
（項目６１）
前記プロセッサ電子機器は、広告を前記ペルソナに向けるように構成されている、項目５７に記載のシステム。
（項目６２）
プロセッサ電子機器によって実行可能である命令が記憶された非一過性コンピュータ可読媒体であって、該命令は、
１つ以上のペルソナを表示することであって、該ペルソナは、各々、標的閲覧者を決定するために、広告主によって使用され得る一組の特性を表す、ことと、
ユーザによるペルソナの選択を検出することと、
該選択されたペルソナに向けられる広告を表示することと
を行うためのものである、非一過性コンピュータ可読媒体。
（項目６３）
前記プロセッサ電子機器によって実行可能である命令をさらに備え、該命令は、
一組の事前に規定された特性を有するペルソナを表示することであって、該特性は、広告を受信するために前記ユーザによって選択され得る、ことを行うためのものである、項目６２に記載の非一過性コンピュータ可読媒体。
（項目６４）
前記プロセッサ電子機器によって実行可能である命令をさらに備え、該命令は、
前記ペルソナの前記事前に規定された特性のうちの１つ以上に対する、ユーザによって行われた変更を検出するためのものである、項目６３に記載の非一過性コンピュータ可読媒体。
（項目６５）
プロセッサベースの電子システムであって、該システムは、
プロセッサによって実行され得る一連の命令を記憶するためのメモリと、
該命令を実行するように構成されているプロセッサ電子機器と
を備え、該命令は、
ブラウザプログラムを用いて、ユーザによって閲覧された少なくとも１つのブランドの指標を受信することと、
該受信された少なくとも１つのブランドの指標に基づいて、該ユーザの可能性の高い特性を決定することと、
標的閲覧者の所望の特性を幾人かのユーザの該決定された特性に一致させることと、
該ユーザに広告を配信することであって、該ユーザの特性が該標的閲覧者の所望の特性に一致する、ことと
を行うためのものである、システム。
（項目６６）
プロセッサ電子機器によって実行可能である命令が記憶された非一過性コンピュータ可読媒体であって、該命令は、
ブラウザプログラムを用いて、ユーザによって閲覧された少なくとも１つのブランドの指標を受信することと、
該受信された少なくとも１つのブランドの指標に基づいて、該ユーザの可能性の高い特性を決定することと、
標的閲覧者の所望の特性を幾人かのユーザの該決定された特性に一致させることと、
広告を該ユーザに配信することであって、該ユーザの特性が該標的閲覧者の所望の特性に一致する、ことと
を行うためのものである、非一過性コンピュータ可読媒体。
（項目６７）
プロセッサベースの電子システムであって、該システムは、
プロセッサによって実行され得る一連の命令を記憶するためのメモリと、
該命令を実行するように構成されているプロセッサ電子機器と
を備え、該命令は、
少なくとも１つのブランドをユーザから受信することと、
該受信されたブランドに基づいて、該ユーザの可能性が高い人口統計特性を決定することと、
標的閲覧者の所望の人口統計特性を幾人かのユーザの該決定された特性に一致させることと、
広告をユーザに配信することであって、該ユーザの人口統計特性が該標的閲覧者の所望の人口統計特性に一致する、ことと
を行うためのものである、システム。